(57)【要約】【課題】表示情報を加工しなくても、また、ユーザがプライバシー機能を手動で設定しなくても、表示情報の覗き見を防止することが可能な携帯端末機を提供する。【解決手段】制御部５は、表示部３に電子メールを表示するときに、その電子メール内にプライバシー指定アドレスがあるか否かを判断する。制御部５は、その電子メール内にプライバシー指定アドレスがあると、表示部２にプライバシー保護モードを設定する。また、制御部５は、その電子メール内にプライバシー指定アドレスがないと、表示部２に通常モードを設定する。【選択図】図１
2008225167.tif 000002
【特許請求の範囲】
【請求項１】
表示情報を表示する携帯端末機であって、
表示を第一の視野角で行う広視野角モードと、表示を前記第一の視野角より狭い第二の視野角で行う狭視野角モードと、を有する表示部と、
保護情報を記憶する記憶部と、
前記表示部に前記表示情報を表示するときに、該表示情報内に前記保護情報があると、前記表示部に前記狭視野角モードを設定し、該表示情報内に前記保護情報がないと、前記表示部に前記広視野角モードを設定する制御部と、を含む携帯端末機。
【請求項２】
請求項１に記載の携帯端末機において、
ユーザから前記保護情報を受け付ける操作部を含み、
前記操作部が受け付けた保護情報を前記記憶部に記憶する、携帯端末機。
【請求項３】
請求項１または２に記載の携帯端末機において、
前記表示情報は、電子メールと、ＷＥＢページとの少なくともどちらか一方である、携帯端末機。
【請求項４】
表示を第一の視野角で行う広視野角モードと表示を前記第一の視野角より狭い第二の視野角で行う狭視野角モードとを有する表示部と、保護情報を記憶する記憶部と、を含む携帯端末機のプライバシー画面切換方法であって、
前記表示情報内に前記保護情報があると、前記表示部に前記狭視野角モードを設定する狭視野角設定ステップと、
前記表示情報内に前記保護情報がないと、前記表示部に前記広視野角モードを設定する広視野角設定ステップと、を含むプライバシー画面切換方法。
【請求項５】
請求項４に記載のプライバシー画面切換方法において、
ユーザから前記保護情報を受け付ける受付ステップと、
前記受け付けられた保護情報を前記記憶部に記憶する記憶ステップと、を含むプライバシー画面切換方法。
【請求項６】
請求項４または５に記載のプライバシー画面切換方法において、
前記表示情報は、電子メールと、ＷＥＢページとの少なくともどちらか一方である、プライバシー画面切換方法。
【発明の詳細な説明】
【技術分野】
【０００１】
本発明は、他者からの閲覧を防止するプライバシー保護機能を実装する携帯端末機およびプライバシー画面切換方法に関する。
【背景技術】
【０００２】
携帯電話機では、電子メールまたは個人情報などの表示情報を周囲の人に覗き見される可能性があるという問題がある。このため、携帯電話機は、表示情報の覗き見を防止することが可能なプライバシー機能を実装している場合がある。
【０００３】
ユーザがそのプライバシー機能を手動で設定することにより、表示情報の覗き見が防止される。
【０００４】
しかしながら、ユーザは、プライバシー機能を手動で設定するため、煩わしいと感じるかもしれない。
【０００５】
特許文献１（特開平１１−１７５４２９号公報）には、ユーザの煩わしさを軽減しながら、表示情報の覗き見を防止することが可能な電子メール受信装置が記載されている。
【０００６】
この電子メール受信装置は、電子メール内に所定の文字列があると、その電子メールをプライバシー保護用に加工する。例えば、電子メール受信装置は、電子メールの題名や送信元アドレスなどを特定の文字列に変更する。なお、電子メールの題名や送信元アドレスは、電子メールの本文中に挿入される。
【０００７】
ユーザは、電子メールを表示したときに、その特定の文字列が題名などに記載されていると、周囲に人がいないところで本文を表示するなどすることで、表示情報の覗き見を防止することが可能になる。
【０００８】
これにより、ユーザは、プライバシー機能を手動で設定しなくても良くなるため、煩わしさを軽減することが可能になる。
【特許文献１】特開平１１−１７５４２９号公報
【発明の開示】
【発明が解決しようとする課題】
【０００９】
特許文献１に記載の電子メール受信装置では、電子メールが加工されてしまうので、ユーザは、電子メールの送信者の意図と異なる電子メールを閲覧することになる。また、ユーザは、周囲に人がいないところで本文を表示するなど、別の煩わしさが生じる。
【００１０】
そこで、本発明の目的は、表示情報を加工しなくても、また、ユーザがプライバシー機能を手動で設定しなくても、表示情報の覗き見を防止することが可能な携帯端末機およびプライバシー画面切換方法を提供することである。
【課題を解決するための手段】
【００１１】
上記の目的を達成するために、本発明の携帯端末機は、表示情報を表示する携帯端末機であって、表示を第一の視野角で行う広視野角モードと、表示を前記第一の視野角より狭い第二の視野角で行う狭視野角モードと、を有する表示部と、保護情報を記憶する記憶部と、前記表示部に前記表示情報を表示するときに、該表示情報内に前記保護情報があると、前記表示部に前記狭視野角モードを設定し、該表示情報内に前記保護情報がないと、前記表示部に前記広視野角モードを設定する制御部と、を含む。
【００１２】
また、本発明のプライバシー画面切換方法は、表示を第一の視野角で行う広視野角モードと表示を前記第一の視野角より狭い第二の視野角で行う狭視野角モードとを有する表示部と、保護情報を記憶する記憶部と、を含む携帯端末機のプライバシー画面切換方法であって、前記表示情報内に前記保護情報があると、前記表示部に前記狭視野角モードを設定する狭視野角設定ステップと、前記表示情報内に前記保護情報がないと、前記表示部に前記広視野角モードを設定する広視野角設定ステップと、を含む。
【００１３】
上記の発明によれば、表示情報内に保護情報があると、表示部に狭視野角モードが設定される。狭視野角モードが設定されると、周囲の人から表示部が見づらくなる。
【００１４】
このため、表示情報を加工しなくても、また、ユーザがプライバシー機能を手動で設定しなくても、表示情報の覗き見を防止することが可能になる。
【００１５】
また、ユーザから前記保護情報を受け付ける操作部を含み、前記操作部が受け付けた保護情報を前記記憶部に記憶することが望ましい。
【００１６】
上記の発明によれば、ユーザの嗜好を反映することが可能になる。
【００１７】
また、前記表示情報は、電子メールと、ＷＥＢページとの少なくともどちらか一方であることが望ましい。
【発明の効果】
【００１８】
本発明によれば、表示情報を加工しなくても、また、ユーザがプライバシー機能を手動で設定しなくても、表示情報の覗き見を防止することが可能になる。
【発明を実施するための最良の形態】
【００１９】
以下、本発明の実施例について図面を参照して説明する。
【００２０】
図１は、本発明の第一の実施例の携帯電話機の構成を示したブロック図である。
【００２１】
図１において、携帯電話機１０は、無線通信部１と、表示部２と、操作部３と、記憶部４と、制御部５とを含む。
【００２２】
無線通信部１は、音声信号およびデータ信号などによる無線通信と、その無線通信による信号処理などを行う。
【００２３】
表示部２は、ＬＣＤであり、電子メールや携帯電話機１０の設定情報などの各種情報を表示する。
【００２４】
表示部２は、広視野角モードと、狭視野角モードとの二つの表示モードを有する。
【００２５】
広視野角モードでは、表示部２は、表示を第一の視野角で行う。狭視野角モードでは、
表示部２は、表示を第一の視野角より狭い第二の視野角で行う。
【００２６】
視野角とは、表示部２を正常に見ることが可能な、表示部２の正面（中心）からの角度である。例えば、視野角が３０度であれば、表示部２が、表示部２の正面から上下左右に３０度の範囲まで正常に見ることが可能である。
【００２７】
このため、狭視野角モードでは、広視野角モードに比べて、正常に見ることが可能な範囲が狭い。よって、狭視野角モードによる視野角が適宜設定されれば、周囲の人から表示部２が見づらくなる。
【００２８】
なお、第一の視野角は、例えば、６０度であり、第二の視野角は、例えば、１５度である。しかしながら、第一の視野角および第二の視野角は、これら角度に限らず適宜変更可能である。
【００２９】
以下、狭視野角モードを、プライバシー保護モードと称し、広視野角モードを、通常モードと称する。
【００３０】
操作部３は、ユーザにて操作され、ユーザから各種情報を受け付ける。なお、操作部３は、例えば、キーパットである。
【００３１】
例えば、操作部３は、ユーザから、電子メールに関する各種処理を実行する旨の実行指示を受け付ける。実行指示は、例えば、電子メールを表示する旨の表示指示と、メールに関する設定を行う旨の設定指示などがある。
【００３２】
なお、表示指示には、電子メールを編集用の情報として表示する旨の編集指示と、電子メールを閲覧用の情報として表示する旨の閲覧指示と、がある。
【００３３】
記憶部４は、電子メールと、電子メールに関する設定を示す設定情報とを記憶する。
【００３４】
電子メールは、表示情報の一例である。電子メールには、例えば、受信メール、送信済みの電子メール、および、送信待ちの電子メールなどがある。送信待ちの電子メールは、作成されたが送信されていない電子メールである。
【００３５】
設定情報は、覗き見保護用の電子メールアドレスを含む。覗き見保護用の電子メールアドレスは、保護情報の一例である。以下、覗き見保護用の電子メールアドレスをプライバシー指定アドレスと称する。
【００３６】
なお、設定情報は、複数のプライバシー指定アドレスを含んでもよい。
【００３７】
制御部５は、無線通信部１、表示部２、操作部３および記憶部４と接続され、各部を制御する。具体的には、制御部５は、以下の処理を行う。
【００３８】
操作部３が表示指示を受け付けると、制御部５は、その表示指示にて指示された記憶部４内の電子メールを表示部２に表示する。
【００３９】
制御部５は、その電子メールを表示するときに、その電子メール内に記憶部４内のプライバシー指定アドレスがあるか否かを判断する。
【００４０】
例えば、操作部３が閲覧指示を受け付けると、制御部５は、その電子メール内のあて先アドレスまたは送信元アドレスにプライバシー指定アドレスがあるか否かを判断する。
【００４１】
また、操作部３が編集指示を受け付けると、制御部５は、その電子メール内のあて先アドレスにプライバシー指定アドレスがあるか否かを判断する。
【００４２】
なお、プライバシー指定アドレスが複数ある場合、制御部５は、その電子メール内にその複数のプライバシー指定アドレスの少なくとも一つがあるか否かを判断する。
【００４３】
その電子メール内にそのプライバシー指定アドレスがあると、制御部５は、表示部２にプライバシー保護モードを設定する。
【００４４】
一方、その電子メール内にそのプライバシー指定アドレスがないと、制御部５は、表示部２に通常モードを設定する。
【００４５】
ここで、制御部５は、例えば、表示部２の液晶パネルに電圧を印加して、その液晶の配向状態を切り替えることで、表示モードを設定する。なお、制御部５による表示モードの設定は、この方法に限らず適宜変更可能である。
【００４６】
次に動作を説明する。
【００４７】
図２は、携帯電話機の動作の一例を説明するためのフローチャートである。なお、実行指示は、閲覧指示、編集指示および設定指示のいずれかであるとする。
【００４８】
ステップＳ０１では、操作部３は、ユーザから実行指示を受け付け、その実行指示を制御部５に出力する。制御部５は、その実行指示を受け付けると、ステップＳ０２を実行する。
【００４９】
ステップＳ０２では、制御部５は、その実行指示が閲覧指示か否かを判断する。制御部５は、その実行指示が閲覧指示であると、ステップＳ０３を実行し、その実行指示が閲覧指示でないと、ステップＳ０６を実行する。
【００５０】
ステップＳ０３では、制御部５は、記憶部４から、その閲覧指示が指示する電子メールと、プライバシー指定アドレスとを読み出す。制御部５は、その電子メール内のあて先アドレスおよび送信元アドレスを確認し、そのあて先アドレスまたは送信元アドレスにそのプライバシー指定アドレスがあるか否かを判断する。
【００５１】
制御部５は、そのあて先アドレスまたは送信元アドレスにそのプライバシー指定アドレスがあると、ステップＳ０４を実行し、そのあて先アドレスまたは送信元アドレスにそのプライバシー指定アドレスがないと、ステップＳ０５を実行する。
【００５２】
ステップＳ０４では、制御部５は、プライバシー保護モードを表示部２に設定する。その後、制御部５は、その読み出した電子メールを表示部２に表示する。
【００５３】
ステップＳ０５では、制御部５は、通常モードを表示部２に設定する。その後、制御部は、適宜、情報を表示部２に表示する。具体的には、制御部５は、ステップＳ０３またはステップＳ０５でＮＯの場合、読み出した電子メールを表示し、後述のステップＳ０６でＮＯの場合、制御部５は、設定指示に応じた設定画面情報を表示する。
【００５４】
ステップＳ０６では、制御部５は、その実行指示が編集指示か否かを判断する。制御部５は、その実行指示が編集指示であると、ステップＳ０７を実行し、その実行指示が編集指示であると、ステップＳ０４を実行する。
【００５５】
なお、制御部５は、その実行指示が編集指示でないと判断すると、その実行指示を設定指示と判断する。
【００５６】
ステップＳ０７では、制御部５は、記憶部４から、その編集指示が指示する電子メールと、プライバシー指定アドレスとを読み出す。制御部５は、その電子メール内のあて先アドレスを確認し、そのあて先アドレスにそのプライバシー指定アドレスがあるか否かを判断する。
【００５７】
制御部５は、そのあて先アドレスにそのプライバシー指定アドレスがあると、ステップＳ０４を実行し、そのあて先アドレスにそのプライバシー指定アドレスがないと、ステップＳ０５を実行する。
【００５８】
次に、具体例を説明する。
【００５９】
始めに、プライバシー指定アドレスおよび電子メールの具体例を示す。
【００６０】
図３は、記憶部４内のプライバシー指定アドレスの一例を示した説明図である。図３には、プライバシー指定アドレス３０「ａａａ＠ｂｂ．ｃｃ．ｄｄ」と、プライバシー指定アドレス３１「ｘｘｘ＠ｂｂ．ｃｃ．ｄｄ」とが示されている。
【００６１】
図４および図５は、記憶部４内の電子メールの一例を示した説明図である。
【００６２】
図４において、電子メール４０は、受信メールの一例であり、送信元アドレスとして、「ａａａ＠ｂ．ｃｃ．ｄｄ」を有する。
【００６３】
図５において、電子メール５０は、送信待ち電子メールの一例であり、あて先アドレスとして「ｅｅｅ＠ｂｂ．ｃｃ．ｄｄ」を有する。
【００６４】
続いて、動作の具体例を説明する。
【００６５】
先ず、操作部３が実行指示として電子メール４０を閲覧する旨の閲覧指示を受け付けた場合を説明する。
【００６６】
制御部５は、その実行指示を閲覧指示と判断する（ステップＳ０２）。
【００６７】
その後、制御部５は、記憶部４から、電子メール４０と、プライバシー指定アドレス３０および３１を読み出す。制御部５は、電子メール４０内の送信元アドレスを確認し、その送信元アドレスに、プライバシー指定アドレス３０および３１の少なくとも一方があるか否かを判断する（ステップＳ０３）。
【００６８】
この場合、電子メール４０内の送信元アドレス「ａａａ＠ｂｂ．ｃｃ．ｄｄ」に、プライバシー指定アドレス３０「ａａａ＠ｂｂ．ｃｃ．ｄｄ」があるので、制御部５は、プライバシー保護モードを表示部２に設定し、その後、電子メール４０を表示部２に表示する（ステップＳ０４）。
【００６９】
次に、操作部３が実行指示として電子メール５０を編集する旨の編集指示を受け付けた場合を説明する。
【００７０】
制御部５は、その実行指示を編集指示と判断する（ステップＳ０６）。
【００７１】
その後、制御部５は、記憶部４から、電子メール５０と、プライバシー指定アドレス３０および３１を読み出す。制御部５は、電子メール５０内のあて先アドレスを確認し、そのあて先アドレスに、プライバシー指定アドレス３０および３１の少なくとも一方があるか否かを判断する（ステップＳ０７）。
【００７２】
この場合、電子メール５０のあて先アドレス「ｅｅｅ＠ｂｂ．ｃｃ．ｄｄ」に、プライバシー指定アドレス３０「ａａａ＠ｂｂ．ｃｃ．ｄｄ」および３１「ｘｘｘ＠ｂｂ．ｃｃ．ｄｄ」がないので、制御部５は、通常モードを表示部２に設定し、その後、電子メール５０を表示部２に表示する（ステップＳ０５）。
【００７３】
また、操作部３が実行指示として設定指示を受け付けた場合、制御部５は、その設定指示に応じた設定画面情報を表示部２に表示する（ステップＳ０５）。
【００７４】
本実施例によれば、制御部５は、表示部２に電子メールを表示するときに、その電子メール内にプライバシー指定アドレスがあるか否かを判断する。制御部５は、その電子メール内にプライバシー指定アドレスがあると、表示部２にプライバシー保護モードを設定する。また、制御部５は、その電子メール内にプライバシー指定アドレスがないと、表示部２に通常モードを設定する。
【００７５】
この場合、電子メールを加工しなくても、また、ユーザがプライバシー機能を手動で設定しなくても（ユーザが狭視野角モードを手動で設定しなくても）、電子メールの覗き見を防止することが可能になる。
【００７６】
次に、第二の実施例について説明する。以下では、主に第一の実施例と異なる構成および動作について説明する。
【００７７】
第一の実施例では、保護情報としてプライバシー指定アドレスを用いたが、本実施例では、保護情報として、覗き見保護用の単語（以下、プライバシー指定単語と称する）を用いる。
【００７８】
プライバシー指定単語は、例えば、住所、氏名、連絡先および電話番号などの個人情報である。
【００７９】
この場合、操作部３が表示指示を受け付けると、制御部５は、その表示指示にて指示された電子メール内の本文または題名に記憶部４内のプライバシー指示単語があるか否かを判断する。
【００８０】
その電子メール内の本文または題名にプライバシー指示単語があると、制御部５は、表示部２にプライバシー保護モードを設定する。
【００８１】
一方、その電子メール内の本文または題名にプライバシー指示単語がないと、制御部５は、表示部２に通常モードを設定する。
【００８２】
次に動作を説明する。
【００８３】
図２のステップＳ０２で、制御部５は、実行指示が閲覧指示であると判断すると、以下の処理を行う。
【００８４】
具体的には、制御部５は、記憶部４から、その表示指示が指示する電子メールと、プライバシー指定単語とを読み出す。制御部５は、その電子メール内の本文および題名を確認し、その本文または題名にそのプライバシー指定単語があるか否かを判断する。
【００８５】
制御部５は、その本文または題名にそのプライバシー指定単語があると、ステップＳ０４を実行し、その本文または題名にそのプライバシー指定単語がないと、ステップＳ０５を実行する。
【００８６】
また、ステップＳ０６で、制御部５は、実行指示が編集指示であると判断すると、以下の処理を行う。
【００８７】
具体的には、制御部５は、記憶部４から、その編集指示が指示する電子メールと、プライバシー指定単語とを読み出す。制御部５は、その電子メール内の本文または題名を確認し、その本文または題名にそのプライバシー指定単語があるか否かを判断する。
【００８８】
制御部５は、その本文または題名にそのプライバシー指定単語があると、ステップＳ０４を実行し、その本文または題名にそのプライバシー指定単語がないと、ステップＳ０５を実行する。
【００８９】
なお、第一の実施例では、保護情報としてプライバシー指定アドレスを用い、第二の実施例では、保護情報としてプライバシー指定単語を用いた。しかしながら、保護情報は、プライバシー指定アドレスおよびプライバシー指定単語の両方でもよい。
【００９０】
本実施例によれば、電子メールアドレスだけでなく、本文の内容に応じて、プライバシー保護モードを設定することが可能になる。
【００９１】
次に、第三の実施例について説明する。なお、以下では、主に第一および第二の実施例と異なる構成および動作について説明する
保護情報は、予め携帯電話機１０に登録されてもよいし、ユーザにて登録されてもよい。本実施例では、保護情報がユーザにて登録される場合について説明する。
【００９２】
操作部３は、ユーザから、保護情報と、保護情報を登録する旨の登録指示とを受け付ける。
【００９３】
制御部５は、操作部３が保護情報および登録指示を受け付けると、その保護情報を記憶部４に記憶する。
【００９４】
次に動作を説明する。
【００９５】
操作部３は、ユーザから保護情報および登録指示を受け付けると、その保護情報および登録指示を制御部５に出力する。制御部５は、その保護情報および登録指示を受け付けると、保護情報を記憶部４に記憶する。
【００９６】
本実施例によれば、制御部５は、操作部３が保護情報を受け付けると、その保護情報を記憶部４に記憶する。
【００９７】
この場合、ユーザの嗜好を反映することが可能になる。
【００９８】
次に第四の実施例について説明する。以下では、主に第一の実施例と異なる構成および動作について説明する。
【００９９】
第一の実施例では、新たに電子メールを表示するときに、表示モードが設定されていたが、本実施例では、電子メールの作成中に表示モードが切り替えられる。
【０１００】
操作部３は、ユーザから、電子メールを作成する旨の新規作成指示と、その電子メールのあて先アドレスとを受け付ける。なお、このあて先アドレスは、表示情報の一例である。
【０１０１】
制御部５は、操作部３が新規作成指示を受け付けると、表示部２に通常モードを設定する。制御部５は、新規の電子メールを作成し、その新規の電子メールを表示部２に表示する。
【０１０２】
また、制御部５は、操作部３があて先アドレスを受け付けると、そのあて先アドレスを表示部２に表示する。
【０１０３】
このとき、制御部５は、そのあて先アドレスに記憶部４内のプライバシー指定アドレスがあるか否かを判断する。
【０１０４】
そのあて先アドレスにそのプライバシー指定アドレスがあると、制御部５は、プライバシー保護モードを表示部２に設定する。
【０１０５】
次に動作を説明する。
【０１０６】
操作部３は、ユーザから、新規作成指示を受け付けると、その新規作成指示を制御部５に出力する。
【０１０７】
制御部５は、その新規作成指示を受け付けると、表示部２に通常モードを設定する。制御部５は、新規の電子メールを作成し、その新規の電子メールを表示部２に表示する。
【０１０８】
その後、操作部３は、ユーザから、あて先アドレスを受け付けると、そのあて先アドレスを制御部５に出力する。
【０１０９】
制御部５は、そのあて先アドレスを受け付けると、そのあて先アドレスを表示部２に表示し、プライバシー指定アドレスを読み出す。制御部５は、そのあて先アドレスにそのプライバシー指定アドレスがあるか否かを判断する。
【０１１０】
そのあて先アドレスにそのプライバシー指定アドレスがあると、制御部５は、プライバシー保護モードを表示部２に設定する。
【０１１１】
なお、上記の説明で、保護情報としてプライバシー指定アドレスを用いたが、保護情報は、プライバシー保護単語でもよい。
【０１１２】
この場合、操作部３は、電子メールの本文を構成する単語を受け付けると、制御部５は、その単語に記憶部４内のプライバシー指定単語があるか否かを判断する。その単語にそのプライバシー指定単語があると、制御部５は、プライバシー保護モードを表示部２に設定する。
【０１１３】
本実施例によれば、電子メールの作成中にも表示モードを切り替えることが可能になる。
【０１１４】
次に第五の実施例について説明する。以下では、主に第一ないし第四の実施例と異なる構成および動作について説明する。
【０１１５】
第一ないし第四の実施例では、表示情報として電子メールを用いたが、本実施例では、ＷＥＢページを用いる。なお、記憶部４内には、保護情報としてプライバシー指定単語を記憶するものとする。
【０１１６】
携帯電話機１０は、ＷＥＢページを示すＷＥＢ情報を格納するＷＥＢサーバ（図示せず）と接続可能である。
【０１１７】
操作部３は、ユーザから、ＷＥＢページを閲覧する旨のＷＥＢ閲覧指示を受け付ける。
【０１１８】
制御部５は、操作部３が受け付けたＷＥＢ閲覧指示にて指示されるＷＥＢページを示すＷＥＢ情報を、そのＷＥＢ情報を格納するＷＥＢサーバから読み出す。
【０１１９】
制御部５は、そのＷＥＢ情報に記憶部４内のプライバシー指定単語があるか否かを判断する。
【０１２０】
そのＷＥＢ情報内にそのプライバシー指定単語があると、制御部５は、表示部２にプライバシー保護モードを設定する。
【０１２１】
一方、そのＷＥＢ情報内にそのプライバシー指定単語がないと、制御部５は、表示部２に通常保護モードを設定する。
【０１２２】
次に動作を説明する。
【０１２３】
操作部３は、ユーザからＷＥＢ閲覧指示を受け付けると、そのＷＥＢ閲覧指示を制御部５に出力する。
【０１２４】
制御部５は、そのＷＥＢ閲覧指示を受け付けると、そのＷＥＢ閲覧指示にて指示されるＷＥＢページを示すＷＥＢ情報を格納しているＷＥＢサーバに、無線通信部１を介してアクセスする。制御部５は、そのＷＥＢサーバからそのＷＥＢ情報を取得する。
【０１２５】
制御部５は、記憶部４から保護情報を取得する。制御部５は、そのＷＥＢ情報内にそのプライバシー指定単語があるか否かを判断する。
【０１２６】
そのＷＥＢ情報内にそのプライバシー指定単語があると、制御部５は、プライバシー保護モードを表示部２に設定し、その後、そのＷＥＢ情報を表示部２に表示する。
【０１２７】
一方、そのＷＥＢ情報内にそのプライバシー指定単語がないと、制御部５は、通常モードを表示部２に設定し、その後、そのＷＥＢ情報を表示部２に表示する。
【０１２８】
本実施例によれば、ＷＥＢページの覗き見を防止することが可能になる。
【０１２９】
次に第六の実施例について説明する。以下、主に第五の実施例と異なる構成および動作について説明する。
【０１３０】
本実施例では、ＷＥＢページへの情報の入力中に表示モードが切り替えられる。例えば、ＷＥＢページを用いて個人情報などの登録情報をサーバなどに登録する場合、登録情報の入力中に表示モードを切り替える。
【０１３１】
操作部３は、ユーザから、登録情報を受け付ける。なお、登録情報は、表示情報の一例である。
【０１３２】
制御部５は、操作部３が登録情報を受け付けると、その登録情報を表示部２に表示する。このとき、制御部５は、その登録情報内に記憶部４内の保護情報があるか否かを判断する。
【０１３３】
その登録情報にそのプライバシー指定単語があると、制御部５は、プライバシー保護モードを表示部２に設定する。
【０１３４】
次に動作を説明する。
【０１３５】
図６は、情報の入力中の表示モードの切り替えの動作を説明するための説明図である。なお、プライバシー指定単語は、「日本電気太郎」とする。また、図６では、ＷＥＢページを、ＷＥＢサイト画面と表記している。
【０１３６】
表示部２には、ＷＥＢ情報としてユーザ登録画面６１が表示されているとする。また、このとき、表示部２には、通常モードが設定されている。
【０１３７】
その後、操作部３が登録情報「日本電気太郎」を受け付けると、その登録情報を制御部５に出力する。
【０１３８】
制御部５は、その登録情報の受け付けると、編集画面６２を表示部２に表示し、その登録情報を表示部２に表示する。
【０１３９】
制御部５は、記憶部４から、プライバシー指定単語を読み出し、その登録情報内にそのプライバシー指定単語があるか否かを判断する。
【０１４０】
この場合、登録情報「日本電気太郎」は、プライバシー指定単語「日本電気太郎」と一致しているので、制御部５は、登録情報内にそのプライバシー指定単語があると判断し、表示部２にプライバシー保護モードを設定する。
【０１４１】
その後、操作部３は、登録情報の確定を示す確定情報を受け付けると、その確定情報を制御部５に出力する。
【０１４２】
制御部５は、その確定情報を受け付けると、ユーザ登録画面６１に登録情報を加えた
画面（ユーザ登録画面６３）を表示部２に表示する。制御部５は、ユーザ登録画面６３内に登録情報があるか否かを判断する。
【０１４３】
このとき、ユーザ登録画面６３内にプライバシー指定単語があるので、制御部５は、表示部２にプライバシー保護モードを設定したままにしておく。
【０１４４】
その後、操作部３は、登録情報をＷＥＢサーバに送信する旨の送信指示を受け付けると、その送信指示を制御部５に出力する。
【０１４５】
制御部５は、その登録情報を、無線通信部１を介してＷＥＢサーバに送信する。その後、制御部５は、登録情報の送信が完了したことを示す登録完了画面６４を表示部２に表示する。制御部５は、登録完了画面６４内にそのプライバシー指定単語があるか否かを判断する。
【０１４６】
この場合、登録完了画面６４には、プライバシー指定単語「日本電気太郎」がないので、制御部５は、表示部２に通常モードを設定する。
【０１４７】
本実施例によれば、ＷＥＢページへの情報の入力中に表示モードを切り替えることが可能になる。
【０１４８】
以上説明した各実施例において、図示した構成は単なる一例であって、本発明はその構成に限定されるものではない。
【０１４９】
例えば、携帯端末機として携帯電話機を用いて説明したが、携帯端末機は、携帯電話機に限らず適宜変更可能である。例えば、携帯端末機は、ＰＤＡなどでもよい。
【０１５０】
また、保護情報として電子メールアドレスおよび単語を用いたが、保護情報は、電子メールアドレスおよび単語に限らず適時変更可能である。例えば、保護情報は、記号などでもよい。
【図面の簡単な説明】
【０１５１】
【図１】本発明の第一の実施例の携帯電話機の構成を示したブロック図である。
【図２】携帯電話機の動作の一例を説明するためのフローチャートである。
【図３】プライバシー指定アドレスの一例を示した説明図である。
【図４】電子メールの一例を示した説明図である。
【図５】電子メールの他の例を示した説明図である。
【図６】情報の入力中の表示モードの切り替えを説明するための説明図である。
【符号の説明】
【０１５２】
１        無線通信部
２        表示部
３        操作部
４        記憶部
５        制御部
１０      携帯電話機
【図１】
2008225167.tif 000003
【図２】
2008225167.tif 000004
【図３】
2008225167.tif 000005
【図４】
2008225167.tif 000006
【図５】
2008225167.tif 000007
【図６】
2008225167.tif 000008